(57)【特許請求の範囲】
【請求項１】
メッセージハンドリングのためのアクセスおよびモビリティ管理機能（ＡＭＦ）（１０４）によって実行される方法であって、
ユーザ装置（ＵＥ）（１０２）によって送信された非アクセスストラタム（ＮＡＳ）サービス要求メッセージを、Ｎｅｘｔ  Ｇｅｎｅｒａｔｉｏｎ２（ＮＧ２）基準点上のアクセスノードを介して受信することであって、前記ＮＡＳサービス要求メッセージは、ユーザプレーン（ＵＰ）が確立されるべき１つ以上のパケットデータユニット（ＰＤＵ）セッションを識別する情報を含む、受信すること（２０１）と、
前記１つ以上のＰＤＵセッションに関連付けられた１つ以上のセッション管理機能（ＳＭＦ）を識別すること（２０２）と、
関連付けられた前記ＰＤＵセッションのための前記ＵＰを確立するためのＮｅｘｔ  Ｇｅｎｅｒａｔｉｏｎ１１（ＮＧ１１）要求メッセージを前記１つ以上のＳＭＦのそれぞれに送信すること（２０３）と、
前記１つ以上のＳＭＦのうちの１つのＳＭＦから前記ＮＧ１１要求メッセージのうちの１つに対する第１のＮＧ１１応答メッセージであって、第１のＮＧ２セッション管理（ＳＭ）コンテナを含む第１のＮＧ１１応答メッセージを受信する（２０４ａ）と、前記アクセスノードに、前記１つ以上のＳＭＦのうちの他のＳＭＦからの他のＮＧ１１応答メッセージ（２０４ｂ、２０４ｃ）をさらに待つことなく、ｉ）ＮＧ２モビリティマネジメント（ＭＭ）情報と、ｉｉ）前記ＵＥにサービスを提供しているアクセスノード（１０８）への前記第１のＮＧ２  ＳＭコンテナと、を含む情報を送信すること（２０５ａ）と、を含むことを特徴とする方法。
【請求項２】
請求項１に記載の方法であって、
前記１つ以上のＳＭＦの全てからＮＧ１１応答メッセージを受信すると、前記ＮＡＳサービス要求メッセージに応じてＮＡＳサービス応答メッセージを前記ＵＥに送信すること（２０５ｃ）をさらに含むことを特徴とする方法。
【請求項３】
コンピュータ可読媒体（７４２）であって、プロセッサ（７５５）上で実行された場合に、請求項１または２に記載の方法の全ての工程を実行するよう前記プロセッサを設定するコンピュータ可読命令（７４４）を含むことを特徴とするコンピュータ可読媒体（７４２）。
【請求項４】
請求項３に記載の前記コンピュータ可読命令を含むよう構成されることを特徴とするコンピュータプログラム。
【請求項５】
請求項１または２に記載の方法を実行するよう適合されることを特徴とする、メッセージハンドリングのためのアクセスおよびモビリティ管理機能（ＡＭＦ）（１０４）。
【発明の詳細な説明】
【技術分野】
【０００１】
サービス要求をハンドリングするための実施形態が開示される。
【背景技術】
【０００２】
第３世代パートナーシッププロジェクト（３ＧＰＰ）は、次世代移動通信システム（別名、５Ｇ移動通信システムまたは次世代（ＮＧ）システム、または単に略して「５Ｇ」もしくは「ＮＧ」）の開発および設計に関する作業を開始した。３ＧＰＰ  ＮｅｘＧｅｎ研究フェーズでは、モビリティ管理（ＭＭ）機能とセッション管理（ＳＭ）機能（ＳＭＦ）が分離されるべきであると結論付けられた。例えば、３ＧＰＰ  ＴＲ  ２３．７９９ｖ１４．０．０（２０１６−１２）を参照のこと。ＭＭ機能（ＭＭＦ）はアクセスおよびモビリティ管理機能（ＡＭＦ）としても知られており、したがって、ＡＭＦおよびＭＭＦは同等である。
【発明の概要】
【０００３】
５ＧにおけるＡＭＦとＳＭＦとの分離、およびＡＭＦにおける単一のＮＡＳ終了によって、５Ｇサービス要求（ＳＲ）手順のハンドリングは、３Ｇおよび４ＧのＳＲ手順のハンドリングとは異なる。本開示は、５ＧのＳＲ手順のハンドリングに関する以下の問題、（１）ユーザプレーン（ＵＰ）セットアップ待ち時間、（２）ユーザ機器（ＵＥ）とネットワークとの間の全ＰＤＵセッション同期のための効率的なＮＡＳシグナリング、および（３）移動体着信（ＭＴ）トラフィックおよび移動体発信（ＭＯ）トラフィックハンドリングのための共通ロジックの利用、に対処する。
【０００４】
１つのＳＲ手順において全てのＰＤＵセッションのためのＵＰセットアップをバンドルする必要がないので、ＳＲ手順におけるＵＰセットアップ待ち時間を改善することができる。
【０００５】
例えば、一実施形態ではユーザ機器（ＵＥ）（すなわち、例えば、スマートフォン、タブレット、パーソナルコンピュータ、ユーティリティメータ、センサ、自動販売機などの無線通信が可能な機器）が、ＵＰ再確立に必要な１つ以上のＰＤＵセッションのセット（すなわち、例えば、データ無線ベアラおよび関連するＵＰトンネルのようなＵＰリソースを必要とする１つ以上のＰＤＵセッションのセット）を示し、ＰＤＵセッションごとに個々の回答（例えば、ネットワークからのＵＰセットアップ）であって、ＳＭＦは各ＰＤＵセッションごとにＵＰセットアップ（またはＵＰセットアップの失敗のハンドリング）を処理し、ＡＭＦはＮＧ２セットアップを継続する前に第１のＰＤＵ  ＵＰセットアップだけを待機すべきことをそれぞれ関係づける回答を要求するＮＡＳ  ＳＲを開始した場合、他のＰＤＵセッションはＡＭＦによってＮＧ２（およびＮＧ１）に非同期で処理される。別の実施形態では、ＡＭＦが時間バジェットに基づいてＵＰセットアップのためのいくつかのＰＤＵセッションを連結し、例えば、ＡＭＦは随意に、異なるＰＤＵセッションのためのＳＭＦ応答を収集し、時間バジェットによって判定される期間内にＵＥ／無線アクセスネットワーク（ＲＡＮ）に戻る１つの応答を使用することができる。
【０００６】
ＵＥとネットワークとの間の「全ＰＤＵセッション」状態同期（すなわち、以前に確立されたＰＤＵセッションのＵＥの視界を以前に確立されたＰＤＵセッションのネットワークの視界と同期させる）のために、ＮＡＳロジックが、全ＰＤＵセッション状態が同期されない場合（すなわち、ＵＥの視界がネットワークの視界と異なる場合）にのみ導入され使用される。
【０００７】
さらに、いくつかの実施形態ではＵＥがＭＴトラフィックによってトリガされたページングに応答してＳＲ手順を開始するとき、ＵＥはＵＰリソースが必要とされる対応するＰＤＵセッションを示す（対応するＰＤＵセッションを示すことに加えて、ＵＥはＵＥがネットワークに送信するアップリンクデータを有する別のＰＤＵセッションを示し得る）。したがって、一実施形態では、ＡＭＦがＮＧ２ページング要求に対応するＰＤＵセッションＩＤ（たとえば、簡略化された表現）を含み、ＵＥはこの情報を使用して、ＭＴトラフィックのためのＵＰ再確立のために要求されたＰＤＵセッションをＳＲメッセージで示す（上述のように、ＳＲメッセージは他のＰＤＵセッションを示す情報、たとえば、ＵＥが送信すべきアップリンクデータを有するＰＤＵセッションもさらに含むことができる）。
【０００８】
他の実施形態ではＵＥがＭＴトラフィックのためにトリガされたページに応答してＳＲ手順を開始する場合、ＵＥはＵＰが必要とされる対応するＰＤＵセッションを示さない。むしろ、ＡＭＦはページをトリガしたＳＭＦからデータ通知を受信したときに格納した情報に基づいて、ＰＤＵセッションＩＤを取得し、通知を送信したＳＭＦにＮＧ１１  ＳＭ通知要求を送信する。
【０００９】
本明細書で開示される実施形態によって提供される利点は（１）異なるＰＤＵセッションのためのＵＰセットアップ待ち時間が分離され、これは個々のサービス待ち時間に有益であり、ネットワークスライス分離も可能にすること、（２）ＵＥとネットワークとの間の効率的なＰＤＵセッション状態同期（現在の３Ｇではサービス受け入れはＰＭＭ接続モードでは常に必要であり、４Ｇではサービス受け入れなしであり、常に応答として下位層を使用する）、および（３）ＵＥとネットワークの両方のニーズに共通の方法で対応した、効率的なサービスの再アクティブ化を可能にする。
【図面の簡単な説明】
【００１０】
本明細書に組み込まれ、本明細書の一部を形成する添付の図面は、様々な実施形態を示す。
【図１】例示的な次世代通信構造を示す。
【図２】一実施形態による処理を示すメッセージフローチャートである。
【図３】一実施形態による処理を示すメッセージフローチャートである。
【図４】一実施形態による処理を示すフローチャートである。
【図５】一実施形態による処理を示すフローチャートである。
【図６】一実施形態によるプロセスを示すフローチャートである。
【図７】いくつかの実施形態によるＡＭＦのブロック図である。
【図８】いくつかの実施形態によるＵＥのブロック図である。
【図９】一実施形態によるプロセスを示すフローチャートである。
【図１０】いくつかの実施形態によるＡＭＦの機能モジュールを示す図である。
【図１１】一実施形態による処理を示すフローチャートである。
【図１２】いくつかの実施形態によるＵＥの機能モジュールを示す図である。
【図１３】一実施形態による処理を示すフローチャートである。
【図１４】いくつかの実施形態によるＡＭＦの機能モジュールを示す図である。
【発明を実施するための形態】
【００１１】
上述したように、ＡＭＦとＳＭＦは、５Ｇコアネットワークにおいて分離されている。ここで図１を参照すると、図１は、例示的な５Ｇ通信システム１００を示す。５Ｇ通信システム１００は、ポイントツーポイント基準点表現を示す。
【００１２】
図１に示すように、単一のＮＧ１インタフェースが、ＵＥ１０２のためのＭＭおよびＳＭ関連メッセージおよび手順の両方のために使用される。単一のＮＧ１終端点は、ＡＭＦ１０４内に配置される。
【００１３】
ＡＭＦ１０４およびＳＭＦ１０６は、標準的なＮＧ１１インタフェースを間に指定した別個のＮＦ（ネットワーク機能）である。ＡＭＦ１０４はＵＥ１０２と交換されるＮＡＳ信号のモビリティ管理部分をハンドリングし、ＳＭＦ１０６は、ＵＥ１０２と交換されるＮＡＳ信号のセッション管理部分を処理する。
【００１４】
ＵＥ１０２は複数の確立されたＰＤＵセッションを有することができ、ＳＭＦ１０６の異なるインスタンスによってサービスを提供されることができる。ＡＭＦ１０４は、ＰＤＵセッションのためのＳＭＦ機能を選択する。ＡＭＦは、異なるＰＤＵセッションに対して異なるＳＭＦ機能を選択することができる。
【００１５】
ＡＭＦは、セッション管理（ＳＭ）関連ＮＡＳ情報をＳＭＦに転送する。
【００１６】
ＰＤＵセッション確立が成功すると、ＡＭＦはＵＥのサービングＳＭＦの識別を格納し（例えば、確立された各ＰＤＵセッションについて、ＡＭＦはＰＤＵセッションを識別するＰＤＵセッションＩＤを、識別されたＰＤＵセッションをハンドリングするＳＭＦを識別するＳＭＦ  ＩＤとリンクするための情報を格納する−例えば、ＡＭＦは、ＰＤＵセッションＩＤを格納する第１のフィールドと、ＳＭＦ  ＩＤを格納する第２のフィールドとを有する記録を格納してもよい）、ＳＭＦはＵＥのサービングＡＭＦの識別情報を格納する。ＡＭＦは、追加のセッションコンテキスト情報を維持することは期待されない。ＡＭＦは、ＳＭ  ＮＡＳメッセージの内容を意識する必要はない。
【００１７】
複数のユーザプレーン（ＵＰ）機能（ＵＰＦ）を使用して複数の確立されたＰＤＵセッションを有するＵＥの場合、５Ｇシステムは、ＰＤＵセッションごとのＵＥ−ＣＮ  ＵＰ接続の独立したアクティブ化をサポートする。以下のＭＭおよびＳＭの相互作用が想定される：（１）ＩＤＬＥからＣＯＮＮＥＣＴＥＤ状態への移行の間、ＭＴデータ送信のために、「ＭＭイベントの影響」手順が使用され、ＭＯデータ送信のために、ＵＥはサービス要求手順の間に、ＵＥ−ＣＮ  ＵＰ接続がアクティブ化されるべきＰＤＵセッションを示す；（２）ＵＥがＣＯＮＮＥＣＴＥＤ状態にある場合、ＡＭＦ内のモビリティ手順（例えば、ハンドオーバ）の間、ＵＥがアクティブなＵＥ−ＣＮ  ＵＰ接続を有するＳＭＦのみを更新する；および（３）ＣＯＮＮＥＣＴＥＤ状態の間、ＵＥがアクティブなＰＤＵセッションのサブセットのためにＵＥ−ＣＮ  ＵＰ接続をアクティブ化した場合、ＮＧシステムはさらなるＰＤＵセッションのための追加のＵＥ−ＣＮ  ＵＰ接続のアクティブ化をサポートする。
【００１８】
いくつかのＮＧ２シグナリング（ハンドオーバ関連シグナリングなど）は、ＡＭＦおよびＳＭＦの両方の動作を必要とし得る。このような場合、ＡＭＦは、ＡＭＦとＳＭＦとの間の協調を確実にする責任を負う。これは、以下の手順、（Ａ）ＳＭイベントのＮＧ２の影響、および（Ｂ）ＭＭイベントの影響に対応してもよい。
【００１９】
ＮＧ２のＳＭイベントの影響手順は、（１）ＰＤＵセッションのセットアップ／変更／解放およびＵＥ−ＣＮ  ＵＰ接続のアクティブ化／非アクティブ化において、ＳＭＦはＰＤＵセッションのための無線およびＮＧ３リソースのセットアップ、変更および解放のためにＡＭＦを介してＲＡＮと相互作用することと、（２）ＧＢＲフローのためのＱｏＳのセットアップ／変更または非ＧＢＲフローのためのＱｏＳルールの変更において、ＳＭＦはＱｏＳ情報を提供するために、ＡＭＦを介してＲＡＮと相互作用することと、を含む。
【００２０】
ＭＭイベント手順の影響には、（１）ＩＤＬＥからＣＯＮＮＥＣＴＥＤへの移行において、ＵＥ−ＣＮ  ＵＰ接続がアクティブ化されるべきＳＭＦが、ＰＤＵセッションのための無線およびＮＧ３リソースのセットアップのためにＡＭＦを介してＲＡＮと相互作用することが含まれる。
【００２１】
上述したように、ＡＭＦとＳＭＦとの分離、および５ＧにおけるＡＭＦにおける単一のＮＡＳ終了に起因して、サービス要求（ＳＲ）手順のハンドリングは、３Ｇおよび４Ｇとは異なって処理される。異なる５Ｇ  ＳＲ手順によれば、以下の問題、（１）ＳＲ手順におけるＵＰセットアップ待ち時間、（２）ユーザ機器（ＵＥ）とネットワークとの間の全てのＰＤＵセッション同期のための効率的なＮＡＳシグナリング、および（３）移動体着信（ＭＴ）トラフィックおよび移動体発信（ＭＯ）トラフィックハンドリングのためのＳＲ手順における共通ロジックの利用、が対処される。
【００２２】
図２は一実施形態による、ＵＥがアップリンクデータをＵＰ機能（ＵＰＦ）へ送信することを可能にするためのＵＰを確立する（例えば、再確立する）（すなわち、ＵＰリソースを設定する）ためのプロセスを示すフローチャートである。
【００２３】
ＵＥがＵＰＦへ送信するデータを有する場合、ＵＥはＵＰ確立を必要とするＵＥのＰＤＵセッションを示す情報（例えば、第１のパラメータ）を含むサービス要求（ＳＲ）（例えば、ＮＧ１サービス要求）を送信する（ステップ２０１）。例えば、ＳＲはＮビットの第１の順序付けられたセット（すなわち、「ビットマップ」）を含んでもよく、ＮビットのそれぞれはＵＰ確立を必要とし得るＮ個の可能なＰＤＵセッションのうちの異なる１つに対応する（例えば、列内の第１のビットは第１のＰＤＵセッションに対応し、列内の第２のビットは第２のＰＤＵセッションに対応するなど）。いくつかの実施形態ではＮはＵＥによってアクティブであるとみなされるＰＤＵセッションの総数に等しく（例えば、Ｎ＝３）、一方、他の実施形態ではＮはＵＥにおける可能なアクティブＰＤＵセッションの総数に等しい（例えば、Ｎ＝１６）。ビット列内の各ビットの値は、ビットに対応するＰＤＵセッションがＵＰ確立を必要とするかどうかを示す（例えば、ビットｎが１の値に設定される場合、ＰＤＵセッション＃ｎはＵＰ確立を必要とするが、ビットｎが０の値に設定される場合、ＰＤＵセッション＃ｎはＵＰ確立を必要としない）。このようにして、ＵＥは、ＵＥに対する各アクティブＰＤＵセッションのＵＰ状態をネットワークにシグナリングすることができる。
【００２４】
ＳＲを受信すると、ＡＭＦはＳＲに含まれる情報（例えば、ビットマップ）を検査し、ＵＰリソースが確立されるべきＰＤＵセッションを判定し、さらに、ＰＤＵセッションをＳＭＦにマッピングする格納された情報を検査し、ＵＰが確立されるべき各ＰＤＵセッションについて、ＰＤＵセッションをハンドリングしているＳＭＦを判定する（単一のＳＭＦがＵＥのための複数のＰＤＵセッションを処理している可能性がある）。ＵＰが確立されるべきＰＤＵセッションをハンドリングしているＳＭＦを識別した後、ＡＭＦは識別されたＳＭＦの各々にＮＧ１１メッセージ（通知または要求）を送信する（ステップ２０３）。
【００２５】
いくつかの実施形態では、ＵＥによって送信されるＳＲがそれぞれ可能なＰＤＵセッションについて、ＰＤＵセッションの状態（例えば、アクティブまたは非アクティブ）を識別するＰＤＵセッション状態情報（例えば、第２のパラメータ）をさらに含む。例えば、ＳＲはＮビットの第２のビットマップを含んでもよく、Ｎビットのそれぞれは、Ｎ個の可能なＰＤＵセッションのうちの異なる１つに対応する（例えば、列内の第１のビットはＰＤＵセッション＃１に対応し、列内の第２のビットはＰＤＵセッション＃２に対応するなど）。ビット列内の各ビットの値はビットに対応するＰＤＵセッションの状態を示す（例えば、ビットｎが１の値に設定される場合、ＰＤＵセッション＃ｎはアクティブであるが、ビットｎが０の値に設定される場合、ＰＤＵセッション＃ｎは非アクティブである）。このようにして、ＵＥは、ＵＥのためのそれぞれの可能なＰＤＵセッションの状態をネットワークにシグナリングすることができる。
【００２６】
一実施形態では、ＳＲを受信すると、ＡＭＦはＳＲに含まれる（例えば、第２のビットマップによって示される）ＰＤＵセッション状態情報と、ＡＭＦによって以前に記憶されたＰＤＵセッション状態情報との間の任意の差異をチェックする。例えば、ＡＭＦ自体は、各ＵＥに対して、ＵＥのＰＤＵセッションの状態に関する情報を含むビットマップを提供することを記憶することができる。ステップ２０１ａにおいて、ＡＭＦは非同期ＰＤＵセッションがある場合（すなわち、ＳＲに含まれるＰＤＵセッション状態情報がＡＭＦによって維持されるＰＤＵセッション状態情報と一致しない場合）、ＰＤＵセッション状態情報を同期させるために、ＮＧ１応答（例えば、ＮＡＳ応答）をＵＥに送信することができる。すなわち、ステップ２０１ａはＵＥによって送信されたＳＲにおいて示されたＰＤＵセッション状態と、ＡＭＦによって維持されるＵＥのためのＰＤＵセッション状態情報との間に不一致が存在する場合に実行されてもよく、この不一致は同期の必要性を意味する。具体的な例として、ＵＥがビットマップ「００００  ００００  ００１１  ００００」を含むＳＲを送信する場合、これは、ＵＥが、ＰＤＵセッション５および６がアクティブであることをネットワークに示したということを意味する。ＡＭＦによって維持されるＵＥのためのＰＤＵセッション状態情報が、ＰＤＵセッション５および６がアクティブであることも示す場合、それは良好である。しかし、ＡＭＦによって維持されるＵＥのＰＤＵセッション状態情報がＰＤＵセッション５がアクティブであることのみを示す場合、ＡＭＦは、００００  ００００  ０００１  ００００のビットマップでＵＥに示し返すことができる。これは、ＵＥがＰＤＵセッション６を非アクティブ化すべきであることをＵＥに示す。
【００２７】
一実施形態では、ＵＥがＲＡＮからの応答を監視するためにタイマを開始することができる。
【００２８】
ＮＧ１１メッセージに応答して、各ＳＭＦは、ＮＧ１１応答で個々にＡＭＦに応答する（ステップ２０４ａ〜ｃ）。ＮＧ１１応答はＰＤＵセッションのためのコアネットワーク（ＣＮ）ＵＰトンネル情報およびサービス品質（ＱｏＳ）情報を含み得るＮＧ２  ＳＭコンテナ（すなわち、情報のブロック）を含む。ＮＧ１１応答は、成功または失敗する可能性がある。
【００２９】
ステップ２０５ａにおいて、ＳＭＦ（例えば、ＳＭＦ１）から第１のＮＧ１１応答を受信すると（ステップ２０４ａ）、ＡＭＦは他の情報の中でもＡＳセキュリティに関する情報を含むＮＧ２  ＭＭコンテナを生成し、他のＳＭＦからの応答を待つことなく、受信したＮＧ２  ＳＭコンテナと共にＮＧ２  ＭＭコンテナをＲＡＮに送信する。例えば、ステップ２０４ａにおいて、ＡＭＦがＮＧ１１通知を送信した他のＳＭＦからの他の応答を待たずに、ＡＭＦはＮＧ２  ＳＭコンテナおよびＮＧ２  ＭＭコンテナを含むＮＧ２メッセージ（例えば、コンテキストセットアップ）をＲＡＮに送信する。
【００３０】
一実施形態では、ＮＧ２  ＭＭコンテナが上述のＰＤＵセッション状態情報の不一致がＡＭＦによって検出された場合に、ＮＧ１応答（例えば、ＮＡＳ応答）を含む。
【００３１】
ステップ２０５ｂ〜ｃにおいて、ＳＭＦ２およびＳＭＦ３からのＮＧ１１応答（ステップ２０４ｂおよび２０４ｃ参照）がＡＭＦによってＲＡＮおよびＵＥへそれぞれ送信される。すなわち、ステップ２０５ｂにおいて、ＡＭＦはステップ２０４ｂにおいてＳＭＦ２から受信されたＮＧ２  ＳＭコンテナを含むＮＧ２メッセージをＲＡＮに送信し、ステップ２０５ｃにおいて、ＡＭＦは、ステップ２０４ｃにおいてＮＧ１１応答の受信に応答してＮＡＳメッセージをＵＥに送信する。この例において、ステップ２０４ｃにおいて受信されたＮＧ１１応答がＳＭＦ３がＰＤＵセッションを見失い、ＡＭＦとの同期を失ったことを示すため、ＡＭＦはステップ２０４ｃでＮＧ１１応答を受信することに応答して、ＮＡＳメッセージをＵＥに送信する（すなわち、ＳＭＦ３はＮＧ１応答（例えば、ＮＡＳ応答）でＵＥに直接応答してもよい）。
【００３２】
いくつかの実施形態では、第１のＮＧ１１応答を受信した直後に（すなわち、ＡＭＦがＮＧ１１通知を送信した他のＳＭＦからの任意の応答を待たずに）ＮＧ２メッセージ（例えば、コンテキストセットアップ）をＲＡＮに送信するのではなく、ＡＭＦはタイムバジェットに基づいて、いくつかのＮＧ２  ＳＭコンテナを１つのＮＧ２メッセージに含めることができる。時間バジェットは、所定の構成またはポリシーに基づくことができる。一実施形態では、タイミングバジェットがＰＤＵセッションにおけるアプリケーションおよび／またはサービスの重要度の学習に基づくことができる。例えば、ＡＭＦはＸ秒（Ｘは時間バジェット）後に満了するようにタイマをアクティブ化してもよく、タイマが満了した場合、ＡＭＦはＮＧ２メッセージをＲＡＮに送信してもよく、このＮＧ２メッセージは、ＮＧ２  ＭＭコンテナと、タイマの満了前にＡＭＦによって受信されたＮＧ２  ＳＭコンテナのそれぞれ１つとを含むことになる。ＡＭＦは第１のＮＧ１１通知を送信した直後にタイマをアクティブ化してもよいし、第１のＮＧ１１応答を受信した直後にタイマをアクティブ化してもよい。
【００３３】
ステップ２０６において、ＲＡＮは各ＰＤＵセッションのためのＵＰを個別にセットアップするために、ＮＧ２コンテキストセットアップ応答を送信する。ＮＧ２コンテキストセットアップ応答は、ＮＧ２  ＳＭコンテナと、アクセスネットワーク（ＡＮ）  ＵＰトンネルに関する情報とを含む。一実施形態では、ＵＥがＲＡＮからの応答を監視するために、タイマによって測定された応答時間に基づいてさらなるアクションをとる。ＲＡＮに送信されたＮＧ２メッセージに（例えば、異なるＳＭＦからの）２つ以上のＮＧ２  ＳＭコンテナをＡＭＦが含む場合、ＲＡＮは対応する２つ以上のＮＧ２コンテナを含む１つのＮＧ２応答のみを送信してもよく（ＮＧ２およびＮ１１インタフェースで、要求ノードが１つの要求でいくつかの項目を送信する場合、受信ノードは１つの応答でいくつかの対応する項目で応答する）、ＮＧ２応答に含まれる各ＮＧ２コンテナについて、ＡＭＦはＮＧ２コンテナを適切なＳＭＦに送信する。
【００３４】
ステップ２０７において、ＡＭＦは、ＮＧ１１要求を介して無線アクセスネットワークを含むＮＧ２コンテキストセットアップ応答を適切なＳＭＦに転送する。
【００３５】
図３は、いくつかの実施形態による、ＭＴデータトリガページングおよびサービス要求のためにＵＥからネットワークへのＵＰを再確立するプロセスを示すメッセージフローチャートである。
【００３６】
ステップ３０１において、ＵＰＦ１１２は、ＵＥ１０２のためのダウンリンク（ＤＬ）ＵＰデータを受信する。
【００３７】
ステップ３０２において、ＵＰＦ１１２はＵＰＦ１１２がＵＥ１０２のためのＤＬ  ＵＰデータを受信したことをＳＭＦ１０６に通知するために、ＤＬ  ＵＰデータ通知メッセージをＳＭＦ１０６に送信する。
【００３８】
ステップ３０３において、ＳＭＦ１０６は、ＡＭＦ１０４にＵＰセットアップ要求を送信する。
【００３９】
ステップ３０４で、ＵＥがＣＮ−ＩＤＬＥモードにあるかどうかを判定し、そう場合、ＡＭＦはＵＥのページングをトリガする（すなわち、ＵＥへのページングメッセージの送信をトリガする）。一実施形態では、ＡＭＦ  １０４がＵＰが確立されているＰＤＵセッションを識別するための識別情報（すなわち、どのＰＤＵセッションがＭＴデータを有するかを識別するための情報）を、ＵＥ  ＰＤＵセッションに送信されるページングメッセージに含める。いくつかの実施形態では、ＡＭＦは、ＡＭＦがＵＰセットアップ要求を受信したＳＭＦに基づいて、ＰＤＵセッション識別情報を判定する。例えば、いくつかの実施形態では、ＡＭＦは、ＡＭＦがサービスを提供するＵＥのためのコンテキスト情報を格納することができ、このコンテキスト情報はＰＤＵセッション識別子をＳＭＦ識別子にマッピングする情報を含むことができる。
【００４０】
ステップ３０５において、ＵＥは、ページングメッセージの受信に応答して、ＳＲ手順を実行する（ＳＲをＡＭＦに送信する）。上述のように、ＳＲは各可能なＰＤＵセッションについて、ＰＤＵセッションの状態を識別する情報（例えば、上述の第２のビットマップ）を含むことができる。さらに、ＵＥのためのＤＬ  ＵＰデータを有する１つまたは複数のＰＤＵセッションを識別するページングメッセージＰＤＵセッション識別情報にＡＭＦが含まれる場合、ＵＥはページングメッセージ中で識別されたＰＤＵセッションを識別するための識別情報をＳＲ  ＰＤＵセッション中にさらに含めることができる（たとえば、ＰＤＵセッション識別情報は、上述の第１のビットマップとすることができる）。さらに、ＵＥがページングメッセージを受信したのと同時にＵＥが他のＰＤＵセッション上でアップリンク（ＵＬ）ＵＰトラフィックを有する場合、ＵＥはこれらの他のＰＤＵセッションがＵＰ確立を必要とすることを示す情報をＳＲに含めることもできる（例えば、ＵＥがＰＤＵセッション＃３上のＵＬ  ＵＰデータとしている場合、ＵＥは、ＰＤＵセッション＃３に対応する第１のビットマップ中のビットを値１に設定することができる）。
【００４１】
残りの手順は図２に図示するように、ＵＥトリガサービス要求フローと同様である。
【００４２】
別の実施形態では、ＡＭＦは、ＵＥに送信されるページングメッセージにＰＤＵセッション識別情報を含まない。むしろ、ＡＭＦはＵＥ識別子に基づいてＵＥからＳＲが受信される場合に、ＳＭＦ／ＰＤＵセッションを相関づけることができる。
【００４３】
例えば、特定のＵＥのためのＰＤＵセッション（例えば、ＰＤＵセッション＃１）を示し、さらにＳＭＦ  ＩＤ（例えば、ＳＭＦ−ＩＤ  １）を示す要求をＡＭＦがＳＭＦから受信した場合、ＡＭＦは特定のＵＥを識別するためのＵＥ識別子を含む第１のフィールドと、ＰＤＵセッションを識別する情報を格納する第２のフィールドと、ＳＭＦ  ＩＤを格納する第３のフィールドとを有する記録をデータベース（例えば、ファイル）に格納してもよい。したがって、ＡＭＦが、ＵＥのＩＤを含むＳＲをＵＥから受信すると、ＡＭＦはＵＥのＩＤを使用して、データベースから記録を検索（リトリービング）し、次いで、記録からＰＤＵセッションＩＤおよびＳＭＦ  ＩＤを取得することができる。いったんＡＭＦが記録からＰＤＵセッションＩＤおよびＳＭＦ  ＩＤを取得すると、ＡＭＦはＳＭＦ  ＩＤによって識別されるＳＭＦにＮＧ１１メッセージ（例えば、ＰＤＵセッションＩＤを含む通知）を送信することができる。データベースがＵＥ  ＩＤフィールドに同じＵＥ  ＩＤを有する２つ以上の記録を含む場合、ＡＭＦは、識別されたＳＭＦのそれぞれに適切なＮＧ１１メッセージを送信することができる。
【００４４】
図４は一実施形態による、メッセージハンドリング（例えば、サービス要求のハンドリング）のためにＡＭＦによって実行されるプロセス４００を示すフローチャートである。
【００４５】
プロセス４００はＡＭＦがＵＥによって送信された第１のメッセージ（例えば、サービス要求）を受信するステップ４０２から開始することができ、第１のメッセージはｉ）ＵＰが確立されるべき第１のＰＤＵセッションと、ｉｉ）ＵＰが確立されるべき第２のＰＤＵセッションとを識別する情報（例えば、第１のビットマップ）を含む。
【００４６】
ステップ４０４において、ＡＭＦは、第１のＰＤＵセッションに関連する第１のＳＭＦを識別する。
【００４７】
ステップ４０６において、ＡＭＦは、第２のＰＤＵセッションに関連する第２のＳＭＦを識別する。
【００４８】
ステップ４０８において、第１のＳＭＦを識別した結果として、ＡＭＦは第１のＳＭＦに第２のメッセージ（例えば、ＮＧ１１通知／要求）を送信する。
【００４９】
ステップ４１０において、第２のＳＭＦを識別した結果として、ＡＭＦは第３のメッセージ（例えば、ＮＧ１１通知／要求）を第２のＳＭＦに送信する。
【００５０】
ステップ４１２において、ＡＭＦは第２のメッセージに応答して第１のＳＭＦによって送信された応答を受信し、第１のＳＭＦによって送信された応答はＵＥにサービス提供するアクセスノード（１０８）のための第１のセッション管理（ＳＭ）コンテナ（すなわち、ＳＭ情報のセット）を備える。
【００５１】
ステップ４１４において、第１のＳＭＦによって送信された応答を受信した直後に（すなわち、第２のＳＭＦからのいかなる応答も待たずに）、ＡＭＦは、アクセスノードにメッセージを送信する。メッセージは、ａ）モビリティ管理（ＭＭ）コンテナと、ｂ）第１のＳＭＦから受信した第１のＳＭコンテナとを含む。
【００５２】
いくつかの実施形態ではａ）モビリティ管理（ＭＭ）コンテナと、ｂ）第１のＳＭＦから受信した第１のＳＭコンテナとを含むメッセージをアクセスノードに送信した後、ＡＭＦはアクセスノードによって送信された応答を受信する。アクセスノードによって送信される応答は、第１のＳＭＦのための無線アクセスネットワーク（ＲＡＮ）ＵＰ情報を含む。アクセスノードによって送信された応答を受信すると、ＡＭＦは、ＲＡＮ  ＵＰ情報を第１のＳＭＦに転送する。ＲＡＮ  ＵＰ情報は、第１のＳＭＦが第１のＰＤＵセッションのために、ＲＡＮ  ＵＰ情報をＵＰ機能（ＵＰＦ）に通信することを可能にする。
【００５３】
いくつかの実施形態では、第１のＳＭコンテナが第１のコアネットワーク（ＣＮ）ＵＰトンネルおよび第１のサービス品質（ＱｏＳ）を示す情報を含む。
【００５４】
いくつかの実施形態では、プロセス４００がステップ４１６および４１８をさらに含む。
【００５５】
ステップ４１６において、メッセージをアクセスノードに送信した後、ＡＭＦは、第３のメッセージに応答して第２のＳＭＦによって送信された応答を受信する。第２のＳＭＦによって送信される応答は、ＵＥにサービス提供するアクセスノードのための第２のＳＭコンテナを備える。
【００５６】
ステップ４１８において、第２のＳＭＦによって送信された応答を受信した後、ＡＭＦは、第２のＳＭＦから受信された第２のＳＭコンテナを含むメッセージをアクセスノードに送信する。
【００５７】
いくつかの実施形態では第２のＳＭＦから受信された第２のＳＭコンテナを含むメッセージをアクセスノードに送信した後、ＡＭＦはアクセスノードによって送信された応答を受信する。アクセスノードによって送信される応答は、第２のＳＭＦのための無線アクセスネットワーク（ＲＡＮ）ＵＰ情報を含む。アクセスノードによって送信された応答を受信すると、ＡＭＦは、ＲＡＮ  ＵＰ情報を第２のＳＭＦに転送する。ＲＡＮ  ＵＰ情報は、第２のＳＭＦが第２のＰＤＵセッションのために、ＲＡＮ  ＵＰ情報をＵＰ機能（ＵＰＦ）に通信することを可能にする。
【００５８】
いくつかの実施形態では、第２のＳＭコンテナが第２のＣＮ  ＵＰトンネルおよび第２のＱｏＳを示す情報を含む。
【００５９】
図５は一実施形態による、メッセージハンドリング（例えば、サービス要求のハンドリング）のためにＡＭＦによって実行されるプロセス５００を示すフローチャートである。
【００６０】
プロセス５００はＡＭＦがＵＥによって送信された第１のメッセージ（例えば、サービス要求）を受信するステップ５０２から開始することができ、第１のメッセージはｉ）ＵＰが確立されるべき第１のＰＤＵセッションと、ｉｉ）ＵＰが確立されるべき第２のＰＤＵセッションとを識別する情報（例えば、第１のビットマップ）を含む。
【００６１】
ステップ５０４において、ＡＭＦは、第１のＰＤＵセッションに関連する第１のセッション管理機能（ＳＭＦ）を識別する。
【００６２】
ステップ５０６において、ＡＭＦは、第２のＰＤＵセッションに関連する第２のＳＭＦを識別する。
【００６３】
ステップ５０８において、第１のＳＭＦを識別した結果として、ＡＭＦは第１のＳＭＦに第２のメッセージ（例えば、ＮＧ１１通知／要求）を送信する。
【００６４】
ステップ５１０において、第２のＳＭＦを識別した結果として、ＡＭＦは第３のメッセージ（例えば、ＮＧ１１通知／要求）を第２のＳＭＦに送信する。
【００６５】
ステップ５１２において、ＡＭＦはタイマをセットする。ＡＭＦはまた、ＡＭＦが受信するＳＭＦ応答の数を追跡し続けるためにカウンタを初期化（例えば、ｉ＝０に設定する）してもよい。一実施形態では、タイマが所定の構成およびポリシに基づいて設定される。別の実施形態では、タイマが第１のＰＤＵセッションおよび第２のＰＤＵセッションにおけるアプリケーションおよびサービスの重要度のレベルに基づいて設定される。
【００６６】
ステップ５１４で、ＡＭＦは、ステップ５０８および５１０で送信されたメッセージの１つに対する応答を受信したかどうかを判定する。応答が受信されていない場合、処理５００はステップ５２２に進み、そうでない場合、応答が受信されると、処理５００はステップ５１６に進む。
【００６７】
ＡＭＦがステップ５０８および５１０で送信されたメッセージの１つに対する応答を受信した場合に到達するステップ５１６では、ＡＭＦはカウンタをインクリメントする（例えば、ｉ＝ｉ＋１を計算する）。受信された応答（例えば、第１または第２のＳＭＦによって送信された応答）は、ＵＥにサービス提供するアクセスノードのためのセッション管理（ＳＭ）コンテナを備える。
【００６８】
ステップ５１８において、ＡＭＦはｉが変数Ｎに等しいかどうかを判定し、ここで、Ｎは、応答を受信することができるＳＭＦの数を示す。ｉ＝Ｎである（すなわち、すべての期待された応答が受信されている）場合、処理５００はステップ５１９に進み、そうでない場合、処理５００はステップ５２２に進む。本実施形態では、第１および第２のＳＭＦから応答を受信することができるので、Ｎ＝２である。別の実施形態ではＮは応答を受信することができるＳＭＦの数に応じて任意の数とすることができる。
【００６９】
ステップ５１９において、ＡＭＦはタイマを非アクティブ化する。
【００７０】
ステップ５２２において、ＡＭＦは、タイマが満了したかどうかを判定する。タイマが満了していない場合、処理５００はステップ５１４に戻り、そうでない場合、処理５００はステップ５２４に進む。
【００７１】
ステップ５２４において、ＡＭＦは、ｉ＝０であるかどうかを判定する。ｉ＝０である場合、処理５００はステップ５２６に進み、そうでない場合、処理５００はステップ５２０に進む。
【００７２】
ステップ５２６において、ＡＭＦは誤差を示す。
【００７３】
ステップ５２０において、ＡＭＦは、アクセスノードにメッセージを送信する。ステップ５２０で送信されるメッセージは、この時点で受信される各ＳＭＦ応答について、応答に含まれるＳＭコンテナを含む。例えば、ＡＭＦは１つのＳＭＦ応答（例えば、第１のＳＭＦによって送信された応答）のみを受信することが可能である。このようなシナリオでは、ＡＭＦがａ）モビリティ管理（ＭＭ）コンテナと、ｂ）第１のＳＭＦから受信したＳＭコンテナとを含むメッセージをアクセスノードに送信する。別の例として、時間が満了する前に、ＡＭＦは第１のＳＭＦによって送信された第１の応答を受信し、第２のＳＭＦによって送信された第２の応答も受信することが可能であり、第１の応答は第１のＳＭコンテナを含み、第２の応答は、第２のＳＭコンテナを含む。そのようなシナリオではステップ５２０において、ＡＭＦによってアクセスノードに送信されるメッセージはａ）モビリティ管理（ＭＭ）コンテナ、ｂ）第１のＳＭＦから受信された第１のＳＭコンテナ、およびｃ）第２のＳＭＦから受信された第２のＳＭコンテナを含む。
【００７４】
方法４００および／または５００のいくつかの実施形態では、第１のメッセージが各可能なＰＤＵセッションについて、ＰＤＵセッションの状態を識別するＰＤＵセッション状態情報（例えば、第２のビットマップ）をさらに備える。そのような実施形態では、方法はさらに、ＵＥについて以前に格納されたＰＤＵセッション状態情報を検索することと、第１のメッセージに含まれるＰＤＵセッション状態形成がＵＥについて検索されたＰＤＵ状態情報と一致するかどうかを判定することと、第１のメッセージに含まれるＰＤＵセッション状態形成がＵＥについて検索されたＰＤＵ状態情報と一致しないと判定することに応じて、ＰＤＵセッション状態情報を同期するためにＰＤＵセッション状態同期メッセージ（例えば、ＮＧ１メッセージ）をＵＥへ送信することと、を含んでもよい。
【００７５】
図６は一実施形態による、メッセージハンドリング（例えば、サービス要求のハンドリング）のためにＡＭＦによって実行されるプロセス６００を示すフローチャートである。
【００７６】
処理６００はユーザ機器（ＵＥ）のためのダウンリンク（ＤＬ）データが受信されたという通知をＳＭＦが受信したことに応じて、セッション管理機能（ＳＭＦ）によって送信された第１のメッセージ（例えば、ＮＧ１１要求）をＡＭＦが受信するステップ６０２を開始してもよい。ＵＥは少なくとも１つのＰＤＵセッションを有し、ＤＬデータはＵＥのＰＤＵセッションのうちの特定の１つに関連付けられ、第１のメッセージはＵＰをセットアップする要求を示す情報を含む。
【００７７】
ステップ６０４において、第１のメッセージの受信に応答して、ＡＭＦはアクセスノードを介してページングメッセージをＵＥに送信し、ページングメッセージは、ＵＥのＰＤＵセッションのうちの特定の１つを示す情報を含む。
【００７８】
図７は、いくつかの実施形態によるＡＭＦ１０４のブロック図である。図７に示すように、ＡＭＦ  １０４は１つまたは複数のプロセッサ７５５（たとえば、汎用マイクロプロセッサおよび／または特定用途向け集積回路（ＡＳＩＣ）、フィールドプログラマブルゲートアレイ（ＦＰＧＡ）などの１つまたは複数の他のプロセッサ）を含むことができるデータ処理システム（ＤＰＳ）７０２と、ＡＭＦ１０２が他の説明した機能（たとえば、ＳＭＦ）およびＲＡＮ１０８と通信することができるようにＡＭＦをネットワークに接続する際に使用するためのネットワークインタフェース７０５と、１つまたは複数の不揮発記憶装置および／または１つまたは複数の揮発性記憶装置（たとえば、ランダムアクセスメモリ（ＲＡＭ））を含むことができるローカル記憶ユニット（別名、「データ記憶システム」）７１２とを備えることができる。ＡＭＦ１０４が汎用マイクロプロセッサを含む実施形態では、コンピュータプログラムプロダクト（ＣＰＰ）７４１を提供することができる。ＣＰＰ７４１は、コンピュータ可読命令（ＣＲＩ）７４４を含むコンピュータプログラム（ＣＰ）７４３を格納するコンピュータ可読媒体（ＣＲＭ）７４２を含む。ＣＲＭ７４２は限定はしないが、磁気媒体（例えば、ハードディスク）、光学媒体（例えば、ＤＶＤ）、メモリデバイス（例えば、ランダムアクセスメモリ）などの非一時的なコンピュータ可読媒体とすることができる。いくつかの実施形態では、コンピュータプログラム７４３のＣＲＩ７４４がデータ処理システム７０２によって実行されると、ＣＲＩがＡＭＦに上述のステップ（例えば、フローチャートを参照して上述したステップ）を実行させるように構成される。他の実施形態では、ＡＭＦがコードを必要とせずに、本明細書で説明されるステップを実行するように構成され得る。すなわち、例えば、データ処理システム７０２は、単に１つ以上のＡＳＩＣから構成されてもよい。したがって、本明細書で説明する実施形態の特徴は、ハードウェアおよび／またはソフトウェアで実装することができる。
【００７９】
図８は、いくつかの実施形態によるＵＥ１０２のブロック図である。図８に示すように、ＵＥ１０２は１つまたは複数のプロセッサ８５５（たとえば、汎用マイクロプロセッサおよび／または特定用途向け集積回路（ＡＳＩＣ）、フィールドプログラマブルゲートアレイ（ＦＰＧＡ）などの１つまたは複数の他のプロセッサ）を含むことができるデータ処理システム（ＤＰＳ）８０２と、無線アクセスネットワーク（ＲＡＮ）ノード（たとえば、ＴＲＰ）と無線通信する際に使用するためのアンテナ８２２に結合された無線送信器８０５および無線受信器８０６と、１つまたは複数の不揮発記憶装置および／または１つまたは複数の揮発性記憶装置（たとえば、ランダムアクセスメモリ（ＲＡＭ））を含むことができるローカル記憶ユニット（別名、「データ記憶システム」）８１２とを備えることができる。ＵＥ１０２が汎用マイクロプロセッサを含む実施形態では、コンピュータプログラムプロダクト（ＣＰＰ）８４１を提供することができる。ＣＰＰ８４１は、コンピュータ可読命令（ＣＲＩ）８４４を含むコンピュータプログラム（ＣＰ）８４３を格納するコンピュータ可読媒体（ＣＲＭ）８４２を含む。ＣＲＭ８４２は限定はしないが、磁気媒体（例えば、ハードディスク）、光学媒体（例えば、ＤＶＤ）、メモリデバイス（例えば、ランダムアクセスメモリ）などの非一時的なコンピュータ可読媒体とすることができる。いくつかの実施形態では、コンピュータプログラム８４３のＣＲＩ８４４がデータ処理システム８０２によって実行されると、ＣＲＩがＵＥ１０２に上述のステップ（例えば、フローチャートを参照して上述したステップ）を実行させるように構成される。他の実施形態では、ＵＥ１０２がコードを必要とせずに、本明細書で説明されるステップを実行するように構成され得る。すなわち、例えば、データ処理システム８０２は、単に１つ以上のＡＳＩＣから構成されてもよい。したがって、本明細書で説明する実施形態の特徴は、ハードウェアおよび／またはソフトウェアで実装することができる。
【００８０】
＜各種開示された実施形態の簡潔な説明＞
Ｉ．  モバイル発信（ＭＯ）サービス要求のハンドリング
Ａ１．  メッセージハンドリング（例えば、サービス要求のハンドリング）のためにＡＭＦ（１０４）によって実行される方法（４００）であって、
ユーザ機器（ＵＥ）（１０２）によって送信された第１のメッセージ（例えば、サービス要求）を受信すること（４０２）であって、ｉ）ＵＰが確立されるべき第１のＰＤＵセッションと、ｉｉ）ＵＰが確立されるべき第２のＰＤＵセッションとを識別する情報（例えば、第１のビットマップ）を含む第１のメッセージを受信することと、
第１のＰＤＵセッションに関連付けられた第１のＳＭＦを識別すること（４０４）と、
第２のＰＤＵセッションに関連付けられた第２のＳＭＦを識別すること（４０６）と、
第１のＳＭＦを識別すること（４０４）の結果として、第１のＳＭＦに第２のメッセージ（例えば、ＮＧ１１通知／要求）を送信すること（４０８）と、
第２のＳＭＦを識別すること（４０６）の結果として、第２のＳＭＦに第３のメッセージ（例えば、ＮＧ１１通知／要求）を送信すること（４１０）と、
第２のメッセージに応じて第１のＳＭＦによって送信された応答を受信すること（４１２）であって、第１のＳＭＦによって送信された応答はＵＥにサービスを提供するアクセスノード（１０８）についての第１のセッション管理（ＳＭ）コンテナを含む、受信することと、
第１のＳＭＦによって送信された応答を受信した直後に、ａ）モビリティ管理（ＭＭ）コンテナと、ｂ）第１のＳＭＦから受信された第１のＳＭコンテナとを含むメッセージをアクセスノードに送信すること（４１４）と、を含む方法。
【００８１】
Ａ２．  実施形態Ａ１の方法（４００）であって、
メッセージをアクセスノードに送信すること（４１４）の後に、第３のメッセージに応じて第２のＳＭＦによって送信された応答を受信すること（４１６）であって、第２のＳＭＦによって送信された応答はＵＥ（１０２）にサービスを提供するアクセスノード（１０８）についての第２のセッション管理（ＳＭ）コンテナを含む、受信すること（４１６）と、
第２のＳＭＦによって送信された応答を受信すること（４１６）の後に、第２のＳＭＦから受信された第２のＳＭコンテナを含むメッセージをアクセスノード（１０２）に送信すること（４１８）と、をさらに含む方法。
【００８２】
Ａ３．  実施形態Ａ１またはＡ２の方法（４００）であって、第１のメッセージはそれぞれの可能なＰＤＵセッションについて、ＰＤＵセッションの状態を識別するＰＤＵセッション状態情報（例えば、第２のビットマップ）をさらに含む、方法。
【００８３】
Ａ４．  実施形態Ａ３の方法（４００）であって、
ＵＥ（１０２）について以前に格納されたＰＤＵセッション状態情報を検索することと、
第１のメッセージに含まれるＰＤＵセッション状態形成が、ＵＥのために検索されたＰＤＵ状態情報と一致するかどうかを判定すること（１０２）と、をさらに含む方法。
【００８４】
Ａ５．  実施形態Ａ４の方法（４００）であって、
第１のメッセージに含まれるＰＤＵセッション状態形成がＵＥ（１０２）のために検索されたＰＤＵ状態情報と一致しないと判定したことに応じて、ＰＤＵセッション状態同期メッセージ（例えば、ＮＧ１メッセージ）をＵＥ（１０２）に送信して、ＰＤＵセッション状態情報を同期することをさらに含む方法。
【００８５】
Ａ６．  実施形態Ａ１〜Ａ５の方法（４００）であって、
ａ）モビリティ管理（ＭＭ）コンテナと、ｂ）第１のＳＭＦから受信された第１のＳＭコンテナとを含むメッセージをアクセスノードに送信した後、アクセスノード（１０８）によって送信された応答を受信することであって、アクセスノード（１０８）によって送信された応答は、第１のＳＭＦについての無線アクセスネットワーク（ＲＡＮ）ＵＰ情報を含む、受信することをさらに含む方法。
【００８６】
Ａ７．  実施形態Ａ６の方法（４００）であって、
ＲＡＮ  ＵＰ情報を第１のＳＭＦに転送することであって、ＲＡＮ  ＵＰ情報は、第１のＳＭＦがＲＡＮ  ＵＰ情報を第１のＰＤＵセッションについてのＵＰ機能（ＵＰＦ）に通信することを可能にする、転送することをさらに含む方法。
【００８７】
Ａ８．  実施形態Ａ２〜Ａ７のいずれか１つの方法（４００）であって、
アクセスノード（１０８）へ第２のＳＭＦから受信された第２のＳＭコンテナを含むメッセージを送信した後、アクセスノード（１０８）によって送信された応答を受信することであって、アクセスノード（１０８）によって送信された応答は、第２のＳＭＦのための無線アクセスネットワーク（ＲＡＮ）ＵＰ情報を含む、受信することをさらに含む方法。
【００８８】
Ａ９．  実施形態Ａ８の方法（４００）であって、
ＲＡＮ  ＵＰ情報を第２のＳＭＦに転送することであって、ＲＡＮ  ＵＰ情報は、第２のＳＭＦが、ＲＡＮ  ＵＰ情報を第２のＰＤＵセッションについてのＵＰ機能（ＵＰＦ）に通信することを可能にする、転送することをさらに含む方法。
【００８９】
Ａ１０．  上記実施形態のいずれか１つの方法（４００）であって、
ＵＰが確立されるべき第１および第２のＰＤＵセッションを識別するＳＲ内の情報が、第１のＰＤＵセッションに対応する少なくとも第１のビットと、第２のＰＤＵセッションに対応する第２のビットとを含むビットマップを含む、方法（４００）。
【００９０】
Ａ１１．  上記実施形態のいずれか１つの方法（４００）であって、第１のＳＭコンテナは第１のコアネットワーク（ＣＮ）ユーザプレーン（ＵＰ）トンネルおよび第１のサービス品質（ＱｏＳ）を示す情報を含み、
第２のＳＭコンテナは、第２のＣＮ  ＵＰトンネルおよび第２のＱｏＳを示す情報を含む、方法（４００）。
【００９１】
Ｂ１．  メッセージハンドリング（例えば、サービス要求ハンドリング）のためのＡＭＦ（１０４）であって、
ユーザ機器ＵＥ（１０２）によって送信された第１のメッセージ（例えば、サービス要求）であって、（ｉ）ＵＰが確立されるべき第１のＰＤＵセッションと、（ｉｉ）ＵＰが確立されるべき  第２のＰＤＵセッションとを識別する情報（例えば、第１のビットマップ）を含む、第１のメッセージを受信（４０２）し、
第１のＰＤＵセッションに関連する第１のＳＭＦを識別（４０４）し、  
第２のＰＤＵセッションに関連する第２のＳＭＦを識別（４０６）し、
第１のＳＭＦを識別（４０４）した結果として、第１のＳＭＦに第２のメッセージ（例えば、ＮＧ１１通知／要求）を送信（４０８）し、  
第２のＳＭＦを識別（４０６）した結果として、第３のメッセージ（例えば、ＮＧ１１通知／要求）を第２のＳＭＦに送信（４１０）し、  
第２のメッセージに応じて第１のＳＭＦによって送信された応答であって、第１のＳＭＦによって送信された応答はＵＥ（１０２）にサービスを提供するアクセスノード（１０８）のための第１のセッション管理（ＳＭ）コンテナを含む応答を受信（４１２）し、
第１のＳＭＦによって送信された応答を受信した直後に、ａ）モビリティ管理（ＭＭ）コンテナと、ｂ）第１のＳＭＦから受信された第１のＳＭコンテナとを含むメッセージをアクセスノード（１０８）に送信（４１４）する、よう適合されたＡＭＦ（１０４）。
【００９２】
Ｃ１．  メッセージハンドリング（例えば、サービス要求ハンドリング）のためのＡＭＦ（１０４）であって、
ユーザ機器（ＵＥ）（１０２）によって送信された第１のメッセージ（例えば、サービス要求）であって、ｉ）ＵＰが確立されるべき第１のＰＤＵセッションと、ｉｉ）ＵＰが確立されるべき第２のＰＤＵセッションとを識別する情報（例えば、第１のビットマップ）を含む第１のメッセージを受信器を介して取得するように構成された第１の取得モジュール（１００２）と、
第１のＰＤＵセッションに関連付けられた第１のＳＭＦを識別するための第１の識別モジュール（１００４）と、
第２のＰＤＵセッションに関連付けられた第２のＳＭＦを識別するように構成された第２の識別モジュール（１００６）と、
第１のＳＭＦを識別した結果として、第１のＳＭＦに第２のメッセージ（例えば、ＮＧ１１通知／要求）を送信するために送信器を使用するように構成された第１の送信モジュール（１００８）と、  
第２のＳＭＦを識別した結果として、第３のメッセージ（例えば、ＮＧ１１通知／要求）を第２のＳＭＦに送信するために送信器を使用するように構成された第２の送信モジュール（１０１０）と、  
第２のメッセージに応じて、第１のＳＭＦによって送信された応答を受信器を介して取得するように構成された第２の取得モジュール（１０１２）であって、第１のＳＭＦによって送信された応答が、ＵＥ（１０２）にサービスを提供するアクセスノード（１０８）についての第１のセッション管理（ＳＭ）コンテナを含む、第２の取得モジュール（１０１２）と、
第１のＳＭＦによって送信された応答を取得した直後に、送信器を使用して、ａ）モビリティ管理（ＭＭ）コンテナと、ｂ）第１のＳＭＦから受信された第１のＳＭコンテナとを含む第３のメッセージをアクセスノード（１０８）へ送信するよう構成された第３の送信モジュール（１０１４）と、を備えるＡＭＦ（１０４）。
【００９３】
Ｂ／Ｃ２ａ．  実施形態Ｂ１のＡＭＦ（１０４）であって、
メッセージをアクセスノードへ送信（４１４）した後、第３のメッセージに応じて第２のＳＭＦによって送信された応答であって、第２のＳＭＦによって送信された応答はＵＥ（１０２）にサービスを提供するアクセスノード（１０８）のための第２のセッション管理（ＳＭ）コンテナを含む応答を受信し（４１６）、
第２のＳＭＦによって送信された応答を受信（４１６）した後、第２のＳＭＦから受信した第２のＳＭコンテナを含むメッセージをアクセスノード（１０８）へ送信（４１８）するようさらに適合されるＡＭＦ（１０４）。
【００９４】
Ｂ／Ｃ２ｂ．  実施形態Ｃ１のＡＭＦ（１０４）であって、
送信器を使用してアクセスノードへメッセージを送信した後、第３のメッセージに応じて第２のＳＭＦによって送信された応答であって、ＵＥ（１０２）にサービスを提供するアクセスノード（１０８）についての第２のセッション管理（ＳＭ）コンテナを含み、第２のＳＭＦによって送信された応答を受信器を介して取得するよう構成された第３の取得モジュール（１０１８）と、
第２のＳＭＦによって送信された応答を受信器を介して取得した後に、第２のＳＭＦから受信された第２のＳＭコンテナを含むメッセージをアクセスノード（１０８）に送信するために送信器を使用するように構成された第４の送信モジュール（１０２０）と、を備えるＡＭＦ（１０４）。
【００９５】
Ｂ／Ｃ３．  上記実施形態のいずれか１つのＡＭＦ（１０４）であって、前記第１のメッセージは、各可能なＰＤＵセッションについて、前記ＰＤＵセッションの状態を識別するＰＤＵセッション状態情報（例えば、第２のビットマップ）をさらに含むＡＭＦ（１０４）。
【００９６】
Ｂ／Ｃ４．  実施形態Ｂ／Ｃ３のＡＭＦ（１０４）であって、ＡＭＦ（１０４）はＵＥ（１０２）のための以前に格納されたＰＤＵセッション状態情報を検索し、第１のメッセージに含まれるＰＤＵセッション状態形成が、ＵＥ（１０２）のための検索されたＰＤＵ状態情報と一致するかどうかを判定する、ようさらに適合される、
または  
ＵＥ（１０２）のために以前に格納されたＰＤＵセッション状態情報を検索するように構成された第１の検索モジュール（１０２２）と、第１のメッセージに含まれたＰＤＵセッション状態形成がＵＥ（１０２）のために検索されたＰＤＵ状態情報と一致するかどうかを判定するように構成された第１の判定モジュール（１０２４）と、をさらに備えるＡＭＦ（１０４）。
【００９７】
Ｂ／Ｃ５．  実施形態Ｂ／Ｃ４のＡＭＦ（１０４）であって、ＡＭＦ（１０４）は、第１のメッセージに含まれるＰＤＵセッション状態形成がＵＥ（１０２）のための検索されたＰＤＵ状態情報と一致しないと判定することに応じて、ＰＤＵセッション状態情報を同期させるために、ＰＤＵセッション状態同期メッセージ（例えば、ＮＧ１メッセージ）をＵＥ（１０２）に送信するようにさらに適合される、
または、
ＡＭＦ（１０４）は、第１のメッセージに含まれるＰＤＵセッション状態形成がＵＥ（１０２）のために検索されたＰＤＵ状態情報と一致しないと判定したことに応じて、ＰＤＵセッション状態同期メッセージ（例えば、ＮＧ１メッセージ）をＵＥ（１０２）に送信するために送信器を使用してＰＤＵセッション状態情報を同期させるように構成された第５の送信モジュール（１０２８）をさらに含む、ＡＭＦ（１０４）。
【００９８】
Ｂ／Ｃ６．  上記ＡＭＦの実施形態のいずれか１つのＡＭＦ（１０４）であって、
ＡＭＦ（１０４）は、ａ）モビリティ管理（ＭＭ）コンテナと、ｂ）第１のＳＭＦから受信された第１のＳＭコンテナとを含むメッセージをアクセスノードに送信した後、アクセスノードによって送信された応答を受信するようにさらに適合され、アクセスノードによって送信された応答は、第１のＳＭＦのための無線アクセスネットワーク（ＲＡＮ）ＵＰ情報を含む、ＡＭＦ（１０４）。
【００９９】
Ｂ／Ｃ７．  実施形態Ｂ／Ｃ６のＡＭＦ（１０４）であって、前記ＡＭＦ（１０４）は、さらに、
ＲＡＮ  ＵＰ情報を第１のＳＭＦに転送するようにさらに適合され、ＲＡＮ  ＵＰ情報は、第１のＳＭＦが第１のＰＤＵセッションのために、ＲＡＮ  ＵＰ情報をＵＰ機能（ＵＰＦ）に通信することを可能にする、ＡＭＦ（１０４）。
【０１００】
Ｂ／Ｃ８．  上記ＡＭＦの実施形態のいずれか１つのＡＭＦ（１０４）であって、ＡＭＦ  （１０４）はさらに、
アクセスノード（１０８）に、第２のＳＭＦから受信された第２のＳＭコンテナを含むメッセージを送信した後、アクセスノード（１０８）によって送信された応答を受信するようにさらに適合され、アクセスノード（１０８）によって送信された応答は、第２のＳＭＦのための無線アクセスネットワーク（ＲＡＮ）ＵＰ情報を含む、ＡＭＦ（１０４）。
【０１０１】
Ｂ／Ｃ９．  実施形態Ｂ／Ｃ８のＡＭＦ（１０４）であって、ＡＭＦ（１０４）は、さらに、
ＲＡＮ  ＵＰ情報を第２のＳＭＦに転送するようにさらに適合され、ＲＡＮ  ＵＰ情報は、第２のＳＭＦが第２のＰＤＵセッションのためにＲＡＮ  ＵＰ情報をＵＰ機能（ＵＰＦ）に通信することを可能にする、ＡＭＦ（１０４）。
【０１０２】
Ｂ／Ｃ１０．  上記ＡＭＦの実施形態のいずれか１つのＡＭＦ（１０４）であって、ＵＰが確立されるべき第１および第２のＰＤＵセッションを識別するＳＲ内の情報が、第１のＰＤＵセッションに対応する少なくとも第１のビットと、第２のＰＤＵセッションに対応する第２のビットとを含むビットマップを含む、ＡＭＦ（１０４）。
【０１０３】
Ｂ／Ｃ１１．  上記ＡＭＦの実施形態のいずれか１つのＡＭＦ（１０４）であって、前記第１のＳＭコンテナは第１のコアネットワーク（ＣＮ）ユーザプレーン（ＵＰ）トンネルおよび第１のサービス品質（ＱｏＳ）を示す情報を含み、前記第２のＳＭコンテナは、第２のＣＮ  ＵＰトンネルおよび第２のＱｏＳを示す情報を含む、ＡＭＦ（１０４）。
【０１０４】
Ｄ１．  メッセージハンドリング（例えば、サービス要求のハンドリング）のために、ＡＭＦ（１０４）によって実行される方法（５００）であって、
ユーザ機器ＵＥ（１０２）によって送信された第１のメッセージ（例えば、サービス要求）であって、ｉ）ＵＰが確立されるべき第１のＰＤＵセッションと、ｉｉ）ＵＰが確立されるべき第２のＰＤＵセッションとを識別する情報（例えば、第１のビットマップ）を含むを第１のメッセージを受信すること（５０２）と、
第１のＰＤＵセッションに関連付けられた第１のＳＭＦを識別すること（５０４）と、
第２のＰＤＵセッションに関連付けられた第２のＳＭＦを識別すること（５０６）と、
第１のＳＭＦを識別すること（５０４）の結果として、第１のＳＭＦに第２のメッセージ（例えば、ＮＧ１１通知／要求）を送信すること（５０８）と、
第２のＳＭＦを識別すること（５０６）の結果として、第３のメッセージ（例えば、ＮＧ１１通知／要求）を第２のＳＭＦに送信すること（５１０）と、
タイマを設定すること（５１２）と、  
第２のメッセージに応答して第１のＳＭＦによって送信された応答を受信すること（５１４）であって、第１のＳＭＦによって送信された応答はＵＥ（１０２）にサービスを提供するアクセスノード（１０８）のための第１のセッション管理（ＳＭ）コンテナを含む、受信すること（４１６）と、
タイマが満了した場合に、ａ）モビリティ管理（ＭＭ）コンテナと、ｂ）第１のＳＭＦから受信された第１のＳＭコンテナとを含むメッセージをアクセスノード（１０８）に送信すること（５２０）と、を含む方法（５００）。
【０１０５】
Ｄ２．  実施形態Ｄ１の方法（５００）であって、
タイマが満了する前に、第３のメッセージに応じて第２のＳＭＦによって送信された応答を受信することであって、第２のＳＭＦによって送信された応答はＵＥ（１０２）にサービスを提供するアクセスノード（１０８）のための第２のセッション管理（ＳＭ）コンテナを含み、タイマが満了すると、ａ）モビリティ管理（ＭＭ）コンテナ、ｂ）第１のＳＭＦから受信された第１のＳＭコンテナ、およびｃ）第２のＳＭＦから受信された第２のＳＭコンテナを含むメッセージをアクセスノード（１０８）に送信することと、をさらに含む方法（５００）。
【０１０６】
Ｄ３．  実施形態Ｄ１またはＤ２の方法（５００）であって、タイマは、所定の構成およびポリシーに基づいて設定される、方法（５００）。
【０１０７】
Ｄ４．  実施形態Ｄ１〜Ｄ３のいずれか１つの方法（５００）であって、タイマは、第１のＰＤＵセッションおよび第２のＰＤＵセッションにおけるアプリケーションおよびサービスの重要度のレベルに基づいて設定される、方法（５００）。
【０１０８】
Ｄ５．  実施形態Ｄ１〜Ｄ４のいずれか１つの方法（５００）であって、第１のメッセージは各可能なＰＤＵセッションについて、ＰＤＵセッションの状態を識別するＰＤＵセッション状態情報（例えば、第２のビットマップ）をさらに含む、方法（５００）。
【０１０９】
Ｄ６．  実施形態Ｄ５の方法（５００）であって、
ＵＥ（１０２）のための以前に格納されたＰＤＵセッション状態情報を検索することと、
第１のメッセージに含まれるＰＤＵセッション状態形成が、ＵＥ（１０２）のために検索されたＰＤＵ状態情報と一致するかどうかを判定することと、をさらに含む方法（５００）。
【０１１０】
Ｄ７．  実施形態Ｄ６の方法（５００）であって、
第１のメッセージに含まれるＰＤＵセッション状態形成がＵＥ（１０２）のために検索されたＰＤＵ状態情報と一致しないと判定したことに応じて、ＰＤＵセッション状態情報を同期させるために、ＰＤＵセッション状態同期メッセージ（例えば、ＮＧ１メッセージ）をＵＥ（１０２）に送信することをさらに含む方法（５００）。
【０１１１】
Ｄ８．  実施形態Ｄ１〜Ｄ７のいずれか１つの方法（５００）であって、ＵＰが確立されるべき第１および第２のＰＤＵセッションを識別するＳＲ内の情報は、第１のＰＤＵセッションに対応する少なくとも第１のビットと、第２のＰＤＵセッションに対応する第２のビットとを含むビットマップを含む、方法（５００）。
【０１１２】
Ｅ１．  メッセージハンドリング（例えば、サービス要求のハンドリング）のためのＡＭＦ（１０４）であって、
ユーザ機器ＵＥ（１０２）によって送信された第１のメッセージ（例えば、サービス要求）であって、（ｉ）ＵＰが確立されるべき第１のＰＤＵセッションと、（ｉｉ）ＵＰが確立されるべき第２のＰＤＵセッションとを識別する情報（例えば、第１のビットマップ）を含む第１のメッセージを受信（５０２）し、
第１のＰＤＵセッションに関連付けられた第１のＳＭＦを識別（５０４）し、
第２のＰＤＵセッションに関連付けられた第２のＳＭＦを識別（５０６）し、
第１のＳＭＦを識別したこと（５０４）の結果として、第１のＳＭＦに第２のメッセージ（例えば、ＮＧ１１通知／要求）を送信（５０８）し、
第２のＳＭＦを識別したこと（５０６）の結果として、第３のメッセージ（例えば、ＮＧ１１通知／要求）を第２のＳＭＦに送信（５１０）し、
タイマをセット（５１２）し、
第２のメッセージに応じて第１のＳＭＦによって送信された応答であって、第１のＳＭＦによって送信された応答はＵＥ（１０２）にサービスを提供するアクセスノード（１０８）のための第１のセッション管理（ＳＭ）コンテナを含む、応答を受信（５１４）し、
タイマが満了した場合に、ａ）モビリティ管理（ＭＭ）コンテナと、ｂ）第１のＳＭＦから受信された第１のＳＭコンテナとを含むメッセージをアクセスノード（１０８）に送信（５２０）する、よう適合されたＡＭＦ（１０４）。
【０１１３】
Ｆ１．  メッセージハンドリング（例えば、サービス要求ハンドリング）のためのＡＭＦ（１０４）であって、
ユーザ機器、ＵＥ（１０２）によって送信された第１のメッセージ（例えば、サービス要求）であって、ｉ）ＵＰが確立されるべき第１のＰＤＵセッションと、ｉｉ）ＵＰが確立されるべき第２のＰＤＵセッションとを識別する情報（例えば、第１のビットマップ）を含む第１のメッセージを受信器を介して取得するように構成された第１の取得モジュール（１００２）と、
第１のＰＤＵセッションに関連付けられた第１のセッション管理機能（ＳＭＦ）を識別するように構成された第１の識別モジュール（１００４）と、
第２のＰＤＵセッションに関連付けられた第２のＳＭＦを識別するように構成された第２の識別モジュール（１００６）と、
第１のＳＭＦを識別した結果として、第１のＳＭＦに第２のメッセージ（例えば、ＮＧ１１通知／要求）を送信するために送信器を使用するように構成される第１の送信モジュール（１００８）と、
第２のＳＭＦを識別した結果として、第３のメッセージ（例えば、ＮＧ１１通知／要求）を第２のＳＭＦに送信するために送信器を使用するように構成される第２の送信モジュール（１０１０）と、
タイマを設定するように構成された第１の設定モジュール（１０１６）と、
第２のメッセージに応じて第１のＳＭＦによって送信された応答であって、第１のＳＭＦによって送信された応答はＵＥ（１０２）にサービスを提供するアクセスノード（１０８）のための第１のセッション管理コンテナを含む応答を受信器を介して取得するように構成された第２の取得モジュール（１０１２）と、
タイマーが満了した場合に、ａ）移動度管理コンテナ（ＭＭ）およびｂ）第１のＳＭＦから受信された第１のＳＭコンテナを含むメッセージをアクセスノード（１０８）に送信するために送信器を使用するように構成された第３の送信モジュール（１０１４）と、を備えるＡＭＦ（１０４）。
【０１１４】
Ｅ／Ｆ２．  実施形態Ｅ１またはＦ１のＡＭＦ（１０４）であって、
タイマが満了する前に、第３のメッセージに応じて第２のＳＭＦによって送信された応答であって、第２のＳＭＦによって送信された応答はＵＥ（１０２）にサービスを提供するアクセスノード（１０８）のための第２のセッション管理（ＳＭ）コンテナを含む応答を受信し、
タイマが満了した場合に、ａ）モビリティ管理（ＭＭ）コンテナ、ｂ）第１のＳＭＦから受信された第１のＳＭコンテナ、およびｃ）第２のＳＭＦから受信された第２のＳＭコンテナを含むメッセージをアクセスノード（１０８）に送信するようさらに適合されたＡＭＦ（１０４）。
【０１１５】
Ｅ／Ｆ３．  実施形態Ｅ１〜Ｅ２またはＦ１〜Ｆ２のＡＭＦ（１０４）であって、タイマは、所定の構成およびポリシーに基づいて設定される、ＡＭＦ（１０４）。
【０１１６】
Ｅ／Ｆ４．  実施形態Ｅ１〜Ｅ２またはＦ１〜Ｆ２のＡＭＦ（１０４）であって、タイマは、第１のＰＤＵセッションおよび第２のＰＤＵセッションにおけるアプリケーションおよびサービスの重要度のレベルに基づいて設定される、ＡＭＦ（１０４）。
【０１１７】
ＩＩ．  移動体着信（ＭＴ）サービス要求
Ｇ１．  メッセージハンドリング（例えば、サービス要求のハンドリング）のためのＡＭＦ（１０４）によって実行される方法（６００）であって、
ユーザ機器ＵＥ（１０２）に対するＤＬデータが受信されたという通知をＳＭＦが受信したことに応じて、ＳＭＦによって送信された第１のメッセージ（例えば、ＮＧ１１要求）を受信すること（６０２）であって、ＵＥ（１０２）は少なくとも１つのＰＤＵセッションを有し、ＤＬデータはＵＥ（１０２）のＰＤＵセッションのうちの特定の１つに関連付けられ、第１のメッセージはＵＰをセットアップする要求を示す情報を含む、受信すること（６０２）と、
第１のメッセージを受信すること（６０２）に応じて、アクセスノード（１０８）を介してページングメッセージをＵＥ（１０２）に送信すること（１０８）であって、ページングメッセージは、ＵＥ（１０２）のＰＤＵセッションのうちの特定の１つを示す情報を含む、送信すること（１０８）と、を含む方法（６００）。
【０１１８】
Ｈ１．  メッセージハンドリング（例えば、サービス要求のハンドリング）のためのＡＭＦ（１０４）であって、
ユーザ機器、ＵＥ（１０２）に対するダウンリンク（ＤＬ）データが受信されたという通知をセッション管理機能（ＳＭＦ）が受信したことに応じて、ＳＭＦによって送信された第１のメッセージ（例えば、ＮＧ１１要求）を受信すること（６０２）であって、ＵＥ（１０２）は少なくとも１つのＰＤＵセッションを有し、ＤＬデータは、ＵＥ（１０２）のＰＤＵセッションのうちの特定の１つに関連付けられ、第１のメッセージはユーザプレーン（ＵＰ）をセットアップする要求を示す情報を含む、受信（６０２）し、
第１のメッセージを受信すること（６０２）に応じて、アクセスノード（１０８）を介してページングメッセージをＵＥ（１０２）に送信すること（６０４）であって、ページングメッセージはＵＥ（１０２）のＰＤＵセッションの特定の１つを示す情報を含む、送信（６０４）する、よう適合されたＡＭＦ（１０４）。
【０１１９】
Ｉ１．  メッセージハンドリング（例えば、サービス要求のハンドリング）のためのＡＭＦ（１０４）であって、
ユーザ装置（ＵＥ）（１０２）のダウンリンク（ＤＬ）データが受信されたという通知をＳＭＦが受信したことに応じてセッション管理機能（ＳＭＦ）によって送信された第１のメッセージ（例えば、ＮＧ１１要求）を受信器を介して取得するように構成された第１の取得モジュール（１００２）であって、ＵＥ（１０２）は少なくとも１つのＰＤＵセッションを有し、ＤＬデータはＵＥ（１０２）のＰＤＵセッションのうちの特定の１つに関連付けられ、第１のメッセージはユーザプレーン（ＵＰ）をセットアップする要求を示す情報を含む、第１の取得モジュール（１００２）と、
第１のメッセージを取得したことに応じて、アクセスノード（１０８）を介してＵＥ（１０２）へページングメッセージを送信するために送信器を使用するよう構成された第１の送信モジュール（１００８）であって、ページングメッセージはＵＥ（１０２）のＰＤＵセッションの特定の１つを示す情報を含む、第１の取得モジュール（１００２）と、を含むＡＭＦ（１０４）。
【０１２０】
Ｊ１．  メッセージハンドリング（例えば、サービス要求のハンドリング）のためのＡＭＦ（１０４）によって実行される方法（１１００）であって、
ユーザ機器ＵＥ（１０２）のＤＬデータが受信されたという通知をＳＭＦが受信したことに応じてＳＭＦによって送信された第１のメッセージ（例えば、ＮＧ１１要求）を受信すること（１１０２）であって、ＵＥ（１０２）が少なくとも１つのＰＤＵセッションを有し、ＤＬデータがＵＥ（１０２）のＰＤＵセッションのうちの特定の１つに関連付けられ、第１のメッセージが、ＵＰをセットアップする要求を示す情報を含む、第１のメッセージを受信すること（１１０２）と、
第１のメッセージを受信すること（１１０２）に応じて、
ｉ）ＳＭＦを識別するためのＳＭＦ識別子と、ｉｉ）特定のＰＤＵセッションを識別するためのＰＤＵセッション識別子を含む記録であって、ＵＥ（１０２）を識別するためのＵＥ識別子にマップされる記録を格納すること（１１０４）と、
ページングメッセージであって、ＵＥ（１０２）のＰＤＵセッションの特定の１つを示す情報を含まないページングメッセージをアクセスノード（１０８）を介してＵＥ（１０２）へ送信すること（１１０６）と、を含む方法（１１００）。
【０１２１】
Ｊ２．  実施形態Ｊ１の方法（１１００）であって、
ＵＥ（１０２）によって送信されたＳＲを受信することと、
ＳＲを受信したことに応じて、
格納されたＳＭＦ識別子およびＰＤＵセッション識別子を検索するためにＵＥ識別子を使用することと、
識別子を検索した後、ＳＭＦ識別子によって識別されるＳＭＦにメッセージ（例えば、ＰＤＵセッション識別子を含むＮＧ１１メッセージ）を送信することと、をさらに含む方法（１１００）。
【０１２２】
Ｋ１．  ＡＭＦ（１０４）であって、
ユーザ装置、ＵＥ（１０２）のためのＤＬデータが受信されたという通知をＳＭＦが受信したことに応じて、ＳＭＦによって送信される第１のメッセージ（例えば、ＮＧ１１要求）を受信（１１０２）することであって、ＵＥ（１０２）は少なくとも１つのＰＤＵセッションを有し、ＤＬデータは、ＵＥ（１０２）のＰＤＵセッションの特定の１つと関連付けられ、第１のメッセージはＵＰをセットアップするための要求を示す情報を含む、受信し、
第１のメッセージを受信すること（１１０２）に応じて、
ｉ）ＳＭＦを識別するためのＳＭＦ識別子と、ｉｉ）特定のＰＤＵセッションを識別するためのＰＤＵセッション識別子とを含む記録を格納すること（１１０４）であって、記録はＵＥ（１０２）を識別するためのＵＥ識別子にマッピングされる、格納（１１０４）し、
アクセスノード（１０８）を介してＵＥ（１０２）へページングメッセージを送信すること（１１０６）であって、ページングメッセージは、ＵＥ（１０２）のＰＤＵセッションのうちの特定の１つを示す情報を含まない、送信する、よう適合されたＡＭＦ（１０４）。
【０１２３】
Ｋ２．  実施形態Ｋ１に記載のＡＭＦ（１０４）であって、
ＵＥ（１０２）によって送信されたＳＲを受信し、
ＳＲの受信に応じて、
格納されたＳＭＦ識別子およびＰＤＵセッション識別子を検索するためにＵＥ識別子を使用し、
識別子を検索した後、ＳＭＦ識別子によって識別されるＳＭＦにメッセージ（例えば、ＰＤＵセッション識別子を含むＮＧ１１メッセージ）を送信する、ようさらに適合されたＡＭＦ（１０４）。
【０１２４】
Ｌ１．  ＡＭＦ（１０４）であって、
ＵＥ（１０２）のＤＬデータが受信されたという通知をＳＭＦが受信したことに応じて、ＳＭＦによって送信された第１のメッセージ（例えば、ＮＧ１１要求）を受信器を介して取得するように構成された第１の取得モジュール（１００２）であって、ＵＥ（１０２）が少なくとも１つのＰＤＵセッションを有し、ＤＬデータがＵＥ（１０２）のＰＤＵセッションのうちの特定の１つに関連付けられ、第１のメッセージが、ＵＰをセットアップする要求を示す情報を含む、第１の取得モジュール（１００２）と、
第１のメッセージを取得したことに応じて、
ｉ）ＳＭＦを識別するためのＳＭＦ識別子と、ｉｉ）特定のＰＤＵセッションを識別するためのＰＤＵセッション識別子とを含む記録を格納するように構成された第１格納モジュール（１０２６）であって、記録はＵＥを識別するためのＵＥ識別子にマッピングされる、第１格納モジュール（１０２６）と、
アクセスノード（１０８）を介してＵＥ（１０２）へのページングメッセージを送信するために送信器を採用するように構成された第１送信モジュール（１００８）であって、ページングメッセージは、ＵＥ（１０２）のＰＤＵセッションのうちの特定の１つを示す情報を含まない、第１送信モジュール（１００８）と、を含むＡＭＦ（１０４）。
【０１２５】
Ｌ２．  実施形態Ｌ１のＡＭＦ（１０４）であって、
ＵＥ（１０２）によって送信されたＳＲを受信器を介して取得するように構成された第２の取得モジュール（１０１２）と、
ＳＲを取得することに応じて、
ＵＥ識別子を使用して格納されたＳＭＦ識別子およびＰＤＵセッション識別子を検索するように構成された第１の検索モジュール（１０２２）と、
識別子を検索した後に、ＳＭＦ識別子によって識別されるＳＭＦにメッセージ（例えば、ＰＤＵセッション識別子を含むＮＧ１１メッセージ）を送信するように送信器を使用するように構成される第２の送信モジュール（１０１０）と、をさらに含むＡＭＦ（１０４）。
【０１２６】
ＩＩＩ．  ＵＥの実施形態
Ｍ１．  ユーザ機器ＵＥ（１０２）によって実行される方法（９００、図９参照）であって、
ＵＰが確立されるべき第１のＰＤＵセッションを判定すること（９０２）と、
ＳＲを生成すること（９０４）と、ＳＲをＡＭＦに送信すること（９０６）と、を含み、
ＳＲを生成することは、判定された第１のＰＤＵセッションがＵＰが確立されるべきＰＤＵセッションであることを示す情報をＳＲに含めることを含む、方法。
【０１２７】
Ｍ２．  実施形態Ｍ１に記載の方法（９００）であって、ＵＰが確立されるべきＰＤＵセッションを判定することは、前記第１のＰＤＵセッションを識別するためのＰＤＵセッション識別情報を含むページングメッセージを受信することと、前記ページングメッセージから前記ＰＤＵセッション識別情報を取得することとを含む、方法（９００）。
【０１２８】
Ｍ３．  実施形態Ｍ２の方法（９００）であって、
ＵＰが確立されるべき第２のＰＤＵセッションを判定することをさらに含み、ＳＲを生成することは、判定された第２のＰＤＵセッションがＵＰが確立されるべきＰＤＵセッションであることを示す情報をＳＲに含める方法。
【０１２９】
Ｍ４．  実施形態Ｍ３に記載の方法（９００）であって、第２のＰＤＵセッションを判定することは、ＵＥ（１０２）が受信側に送信するＵＬ  ＵＰデータを有するＰＤＵセッションを判定することを含む方法。
【０１３０】
Ｍ５．  実施形態Ｍ１に記載の方法（９００）であって、第１のＰＤＵセッションを判定することは、ＵＥ（１０２）が受信側に送信するＵＬ  ＵＰデータを有するＰＤＵセッションを判定することを含む方法。
【０１３１】
Ｍ６．  実施形態Ｍ５の方法（９００）であって、判定された第１のＰＤＵセッションがＵＰが確立されるべきＰＤＵセッションであることを示す情報をＳＲに含めることは、ＳＲにビットマップを含めることを含み、ビットマップのビットのうちの１つは第１のＰＤＵセッションに対応し、第１のＰＤＵセッションに対応するビットは１の値に設定される方法。
【０１３２】
Ｎ１．  ユーザ機器（１０２）、ＵＥ（１０２）であって、
ＵＰが確立されるべき第１のＰＤＵセッションを判定し、
ＳＲを生成し、
ＳＲをＡＭＦに送信する、ように適合され、
ＵＥは、判定された第１のＰＤＵセッションがＵＰが確立されるべきＰＤＵセッションであることを示す情報をＳＲに含めることを含むプロセスを実行することによって、ＳＲを生成するように適合されるＵＥ。
【０１３３】
Ｏ１．  ユーザ機器（１０２）、ＵＥ（１０２）であって、
ＵＰが確立されるべき第１のＰＤＵセッションを判定するための判定モジュール（１２０２）と、
ＳＲを生成するためのＳＲ生成モジュール（１２０４）と、
送信器を使用してＳＲをＡＭＦに送信するためのＳＲ送信モジュール（１２０６）と、を有し、
ＳＲ生成部は、判定された第１のＰＤＵセッションがＵＰが確立されるべきＰＤＵセッションであることを示す情報をＳＲに含むプロセスを実行することによって、ＳＲを生成するように構成される、ＵＥ。
【０１３４】
ＩＶ．  ＰＤＵセッション状態同期
Ｐ１．  ＰＤＵセッション同期のための方法（１３００）であって、
ＵＥ（１０２）によって送信されたメッセージであって、ＵＥによってアクティブであるとみなされる１つまたは複数のＰＤＵセッションのセットを識別するＰＤＵセッション状態情報（例えば、ビットマップ）を備えるメッセージを受信すること（１３０２）と、
メッセージの受信に応じて、ＵＥのために以前に格納されたＰＤＵセッション状態情報を検索すること（１３０４）と、
受信メッセージに含まれるＰＤＵセッション状態形成がＵＥのための検索されたＰＤＵ状態情報と一致するかどうかを判定すること（１３０６）と、
受信メッセージに含まれるＰＤＵセッション状態形成がＵＥのための検索されたＰＤＵ状態情報と一致しないと判定したことに応じて、ＰＤＵセッション状態情報を同期させるために、ＰＤＵセッション状態同期メッセージ（例えば、ＮＧ１メッセージ）をＵＥに送信すること（１３０８）と、を含む方法（１３００）。
【０１３５】
Ｐ２．  実施形態Ｐ１に記載の方法であって、ＰＤＵセッション状態同期メッセージは、ＵＥのための以前に格納されたＰＤＵセッション状態情報を含む、方法。
【０１３６】
Ｐ３．  実施形態Ｐ１またはＰ２に記載の方法であって、ＰＤＵセッション状態同期メッセージは、ＵＥによってアクティブであるとみなされるＰＤＵセッションの設定に含まれるＰＤＵセッションを非アクティブ化するようにＵＥに命令する情報を含む、方法。
【０１３７】
Ｑ１．  ＰＤＵセッション同期のためのＡＭＦ（１０４）であって、
ＵＥ（１０２）によって送信されたメッセージであって、ＵＥによってアクティブであるとみなされる１つまたは複数のＰＤＵセッションのセットを識別するＰＤＵセッション状態情報（例えば、ビットマップ）を含むメッセージを受信し、
メッセージの受信に応じて、ＵＥのための以前に格納されたＰＤＵセッション状態情報を検索し、
受信されたメッセージに含まれるＰＤＵセッション状態形成がＵＥのための検索されたＰＤＵ状態情報と一致するかどうかを判定し、
受信されたメッセージに含まれるＰＤＵセッション状態形成がＵＥのための検索されたＰＤＵ状態情報と一致しないという判定に応じて、ＰＤＵセッション状態同期メッセージ（例えば、ＮＧ１メッセージ）をＵＥに送信して、ＰＤＵセッション状態情報を同期させる、よう適合されたＡＭＦ（１０４）。
【０１３８】
Ｒ１．  ＰＤＵセッション同期のためのＡＭＦ（１０４）であって、
ＵＥ（１０２）によって送信されるＰＤＵセッション状態情報（例えばビットマップ）であって、ＵＥによってアクティブとみなされる１つ以上のＰＤＵセッションの集合を識別するＰＤＵ状態情報を取得するための取得モジュール（１４０２）と、
メッセージの受信に応じて、ＵＥのために以前に格納されたＰＤＵセッション状態情報を検索するように適合された検索モジュール（１４０３）と、
受信されたメッセージに含まれるＰＤＵセッション状態形成が、ＵＥのために検索されたＰＤＵ状態情報と一致するかどうかを判定するように適合された判定モジュール（１４０４）と、
ＵＥによって送信されたＰＤＵセッション状態形成がＵＥのために検索されたＰＤＵ状態情報と一致しないと判定することに応じて、ＰＤＵセッション状態同期メッセージ（例えば、ＮＧ１メッセージ）をＵＥに送信するように送信器を使用するように適合されたＰＤＵセッション状態同期部（１４０６）と、を備えるＡＭＦ（１０４）。
【０１３９】
本開示の様々な実施形態が本明細書で説明されているが、それらは限定ではなく、単なる例として提示されていることを理解されたい。したがって、本開示の幅および範囲は、上述の例示的な実施形態のいずれによっても限定されるべきではない。さらに、本明細書で別段の指示がない限り、または文脈によって明らかに矛盾しない限り、上記の要素のすべての可能な変形形態における任意の組合せが、本開示に包含される。
【０１４０】
さらに、上述し、図面に示したプロセスは一連のステップとして示されているが、これは説明のためだけに行われたものである。したがって、いくつかのステップが追加されてもよく、いくつかのステップが省略されてもよく、ステップの順序が再構成されてもよく、いくつかのステップが並列に実行されてもよいことが企図される。
【０１４１】
＜略語＞
ＡＭＦ  アクセスおよびモビリティ管理機能
ＣＮ  コアネットワーク
ＤＬ  ダウンリンク
ＭＭ  モビリティ管理
ＰＤＵ  プロトコルデータユニット
ＱｏＳ  サービス品質
ＲＡＮ  無線アクセスネットワーク
ＳＭ  セッション管理
ＳＭＦ  セッション管理機能
ＳＲ  サービス要求
ＵＥ  ユーザー機器
ＵＰ  ユーザープレーン
ＵＰＦ  ユーザープレーン機能
【図１】
0006945627.tif 000002
【図２】
0006945627.tif 000003
【図３】
0006945627.tif 000004
【図４】
0006945627.tif 000005
【図５】
0006945627.tif 000006
【図６】
0006945627.tif 000007
【図７】
0006945627.tif 000008
【図８】
0006945627.tif 000009
【図９】
0006945627.tif 000010
【図１０】
0006945627.tif 000011
【図１１】
0006945627.tif 000012
【図１２】
0006945627.tif 000013
【図１３】
0006945627.tif 000014
【図１４】
0006945627.tif 000015